(57)【要約】  容器把持補助具（１）は、哺乳瓶（３）などの容器を受領するためのジャケット（２）を有する。ジャケット（２）は、乳児がジャケット（２）を把持しやすくするために、複数の透視穴（５）を備えたメッシュ構成を有する。ジャケット（２）は卵状の形状を有する。したがってジャケット（２）が哺乳瓶（３）と係合されると、ジャケット（２）の側壁のほとんどは、容器（３）の外部側壁（６）から離間されて支持され、これにより乳児がジャケット（２）のメッシュを容易に把持できる。【選択図】図１
2018518248.tif 000002
【特許請求の範囲】
【請求項１】
容器把持補助具であって、
容器を受領するためのジャケットと、
前記ジャケットを前記容器と確実に係合するための保持手段とを含み、
前記ジャケットは前記容器を支持するために前記ジャケットを把持するための手段を有する、容器把持補助具。
【請求項２】
前記ジャケットは、前記把持手段を提供するために複数の穿孔または穴を有する、請求項１に記載の容器把持補助具。
【請求項３】
前記ジャケットはメッシュ構成を有する、請求項１または２に記載の容器把持補助具。
【請求項４】
前記メッシュ構成は、前記ジャケット内の複数の実質的に円形の穴によって形成される、請求項３に記載の容器把持補助具。
【請求項５】
前記ジャケットは弾性的に変形可能である、請求項１〜４のいずれか１項に記載の容器把持補助具。
【請求項６】
前記ジャケットは、堅いが可撓性の材料によって形成される、請求項１〜５のいずれか１項に記載の容器把持補助具。
【請求項７】
前記ジャケットは、幾分球根または卵状の形状を有する、請求項１〜６のいずれか１項に記載の容器把持補助具。
【請求項８】
前記ジャケットは、前記ジャケットが容器上に装着されたときに前記ジャケット内の前記容器が見えるように十分に透けて見える、請求項１〜７のいずれか１項に記載の容器把持補助具。
【請求項９】
前記保持手段は、前記ジャケットの上部にクランプを含む、請求項１〜８のいずれか１項に記載の容器把持補助具。
【請求項１０】
前記クランプは、１対の弾性的に変形可能な対向するクランプアームを備える、請求項１〜９のいずれか１項に記載の容器把持補助具。
【請求項１１】
前記クランプアームは、前記ジャケットの上部で内方に湾曲する、請求項１〜１０のいずれか１項に記載の容器把持補助具。
【請求項１２】
前記保持手段は、前記ジャケットの底部で内方に延在する基部支持部をさらに含む、請求項１〜１１のいずれか１項に記載の容器把持補助具。
【請求項１３】
前記基部支持部は、前記ジャケットの前記底部で内方に突出する、対向する１対の支持アームを備える、請求項１〜１２のいずれか１項に記載の容器把持補助具。
【請求項１４】
各支持アームは、前記ジャケットの前記底部で内方および上方に延在する、請求項１〜１３のいずれか１項に記載の容器把持補助具。
【請求項１５】
各基部支持アームは弾性的に変形可能である、請求項１〜１４のいずれか１項に記載の容器把持補助具。
【請求項１６】
前記ジャケットは哺乳瓶上に装着するように適合される、請求項１〜１５のいずれか１項に記載の容器把持補助具。
【請求項１７】
前記クランプアームは、前記哺乳瓶の上部における肩部と係合可能であり、前記基部支持アームは、前記哺乳瓶の前記基部の下に延在する前記哺乳瓶の前記基部と係合可能である、請求項１６に記載の容器把持補助具。
【請求項１８】
前記ジャケットと関連した容器を解除可能に相互に係合するために、前記ジャケット上および前記容器上に補完的に相互に係合可能な形成が提供される、請求項１〜９のいずれか１項に記載の容器把持補助具。
【請求項１９】
前記ジャケットの底部は、前記容器の前記底部を受領するように形状される、請求項１８に記載の容器把持補助具。
【請求項２０】
前記ジャケットの補完的リブまたは溝と係合するために、前記容器の外部にリブまたは溝が提供される、請求項１８または１９に記載の容器把持補助具。
【請求項２１】
前記容器の縁部に隣接した関連した溝と係合するために、前記ジャケットの上縁部に内方に向いたリブが提供される、請求項２０に記載の容器把持補助具。
【請求項２２】
前記ジャケットは、使用中に前記ジャケットの側壁を前記容器から離間したまま保つために、前記ジャケットの内壁上に内方に向いたスペーサーリブを有する、請求項１８〜２１のいずれか１項に記載の容器把持補助具。
【発明の詳細な説明】
【技術分野】
【０００１】
本発明は容器把持補助具に関し、詳細には授乳のために乳児が哺乳瓶を把持し保持しやすくするために、哺乳瓶上に装着するための装置に関する。
【背景技術】
【０００２】
哺乳瓶のための様々な保持装置がこれまで提案されており、事例は米国特許第８，９９８，０２９号、米国特許第８，１５２，０１２号、米国特許第５，５１３，８８５号、米国特許第４，９４１，５７９号、および米国特許第３，０５８，７０８号に見出すことができる。これらの文献は、すべて基本的に哺乳瓶と係合し外方に突出したハンドルを提供する装置を示し、ハンドルは乳児にとって哺乳瓶自体より容易に把持される。これらの装置は乳児のために改良された把持を提供する一方で、これらの装置は完全に満足のいくものではない。
【発明の概要】
【発明が解決しようとする課題】
【０００３】
本発明は、特に哺乳瓶のために改良された容器把持補助具を提供することに向けられている。
【課題を解決するための手段】
【０００４】
本発明によれば、
容器を受領するためのジャケットと、
ジャケットを容器と確実に係合するための保持手段とを含み、
ジャケットは容器を支持するためにジャケットを把持するための手段を有する、容器把持補助具が提供される。
【０００５】
本発明の一実施形態では、ジャケットは把持手段を提供するために複数の穿孔または穴を有する。
【０００６】
別の実施形態では、ジャケットはメッシュ構成を有する。したがって有利なことに、ジャケットをいかなる場所でもすぐに容易に把持できる。
【０００７】
別の実施形態では、メッシュ構成はジャケット内の複数の実質的に円形の穴によって形成される。
【０００８】
別の実施形態では、ジャケットは弾性的に変形可能である。
【０００９】
別の実施形態では、ジャケットは、堅いが可撓性の材料によって形成される。すなわちジャケットは、当然のことながらその形状を保持するのに充分な堅さであるが、同時に掴むまたは把持する際に容易に変形する。この点に関して、熱可塑性エラストマーはジャケットを形成するのに特に適している。
【００１０】
別の実施形態では、ジャケットは、幾分球根または卵状の形状を有する。したがってジャケットが容器と係合されると、ジャケットの上部と底部の中間のジャケットの中心部は、容器の外部から間隔を介して支持される。これにより、好都合なことに使用者がジャケットを把持しやすくなる。
【００１１】
さらなる実施形態では、ジャケットは、ジャケットが容器上に装着されたときにジャケット内の容器が見えるように十分に透けて見える。
【００１２】
別の実施形態では、保持手段は、ジャケットの上部にクランプを含む。
【００１３】
別の実施形態では、クランプは、１対の弾性的に変形可能な対向するクランプアームを備える。
【００１４】
別の実施形態では、クランプアームは、ジャケットの上部で内方に湾曲する。
【００１５】
別の実施形態では、保持手段は、ジャケットの底部で内方に延在する基部支持部をさらに含む。
【００１６】
別の実施形態では、基部支持部は、ジャケットの底部で内方に突出する、対向する１対の支持アームを備える。
【００１７】
別の実施形態では、各支持アームは、ジャケットの底部で内方および上方に延在する。
【００１８】
別の実施形態では、各基部支持アームは弾性的に変形可能である。
【００１９】
別の実施形態では、ジャケットは哺乳瓶上に装着するように適合される。
【００２０】
さらなる実施形態では、クランプアームは哺乳瓶の上部における肩部と係合可能であり、基部支持アームは哺乳瓶の基部の下に延在する哺乳瓶の基部と係合可能である。したがって基本的に哺乳瓶全体が実質的にジャケット内に包み込まれる。
【００２１】
別の実施形態では、ジャケットと関連した容器を解除可能に相互に係合するために、ジャケット上および容器上に補完的に相互に係合可能な形成が提供される。
【００２２】
別の実施形態では、ジャケットの底部は、容器の底部を受領するように形状される。
【００２３】
別の実施形態では、ジャケットの補完的リブまたは溝と係合するために、容器の外部にリブまたは溝が提供される。
【００２４】
別の実施形態では、容器上の関連した溝と係合するために、ジャケットの上縁部に内方に向いたリブが提供される。便利なことに溝は容器の縁部に隣接して提供される。
【００２５】
別の実施形態では、ジャケットは、使用中にジャケットの側壁を容器から離間したまま保つために、ジャケットの内壁上に内方に向いたスペーサーリブを有する。
【００２６】
本発明は、添付図面を参照して、例示のためのみに与えられたその一部の実施形態の以下の説明によってより明らかに理解されよう。
【図面の簡単な説明】
【００２７】
【図１】本発明による容器把持補助具の斜視図である。
【図２】容器把持補助具の立断面図である。
【図３】容器把持補助具の立面図である。
【図４】容器把持補助具の端部立面図である。
【図５】容器把持補助具の平面図である。
【図６】容器把持補助具の底部平面図である。
【図７】哺乳瓶上に装着された使用する際の容器把持補助具を示す立面図である。
【図８】哺乳瓶上に装着された容器把持補助具の端部立面図である。
【図９】哺乳瓶上に装着された容器把持補助具を示す立断面図である。
【図１０】本発明による別の容器把持補助具の斜視図である。
【図１１】図１０の容器把持補助具の立面図である。
【図１２】図１０の容器把持補助具の側立面図である。
【図１３】図１０の容器把持補助具の底部平面図である。
【図１４】図１０の容器把持補助具とともに使用するためのカップの斜視図である。
【図１５】図１４のカップの正面立面図である。
【図１６】図１４のカップの側立面図である。
【図１７】図１４のカップの底部立面図である。
【図１８】図１０の容器把持補助具内に装着された図１４のカップの立断面図である。
【図１９】図１８に示されたカップおよび容器把持補助具の立面図である。
【図２０】図１８に示されたカップおよび容器把持補助具の斜視図である。
【発明を実施するための形態】
【００２８】
図面を参照すると、概ね参照番号１によって示された本発明による容器把持補助具が示されている。容器把持補助具１は、図７〜図９に示されているような哺乳瓶３などの容器を受領するためのジャケット２を有する。ジャケット２は、乳児がジャケット２を把持しやすくするために、複数の円形透視穴５を備えたメッシュ構成を有する。
【００２９】
ジャケット２は卵状の形状を有する。したがってジャケット２が哺乳瓶３と係合されると、ジャケット２の側壁のほとんどは図９に最もよく示されているように、容器３の外部側壁６から離間されて支持される。これにより乳児がジャケット２のメッシュを容易に把持することができ、したがって哺乳瓶３を掴んで支持することができる。
【００３０】
ジャケット２は、哺乳瓶３上にジャケット２を確実に保持するために、哺乳瓶３の上部および底部と係合する。ジャケット２の上部における１対の弾性的に変形可能な対向するクランプアーム８、９は、哺乳瓶３を通過させることができるように十分に離間して動き、その後哺乳瓶３の上部における肩部１０に対して弾性的に締める。これらのクランプアーム８、９はジャケット２の上部で内方に湾曲し、ぴたりと適合し哺乳瓶３の上部における肩部１０を締めることが、図３および図７から気付くであろう。
【００３１】
ジャケット２の低端部では、対向する１対の弾性的に変形可能な支持アーム１４、１５は、哺乳瓶３の基部１６と係合するためにジャケット２の底部で内方および上方に突出する。
【００３２】
ジャケット２は、好ましくは熱可塑性エラストマーなどの堅いが可撓性の材料から形成されるので、ジャケット２は当然のことながらその形状を保持するが、またジャケット２を把持しやすくするためにすぐに容易に変形する。
【００３３】
ジャケット２のメッシュは、透視するために十分に開いており、哺乳瓶３の内容物を見ることができることに気付くであろう。メッシュを形成するジャケット２における穴５または穿孔は、あらゆる適切な形状であってよい。
【００３４】
ジャケット２は、実質的にジャケット２の至る所に複数の穿孔または穴５を有するが、ロゴなどを携行するための中実パネル１８（図４）がジャケット２上に提供されてもよい。
【００３５】
使用する際に、哺乳瓶３を図７〜図９に示されたような容器把持補助具１のジャケット２の中に挿入することができる。ジャケット２の上部におけるクランプアーム８、９は、哺乳瓶３の上部における肩部１０を包囲し把持し、ジャケット２の底部における支持アーム１４、１５は、ジャケット２内で哺乳瓶３を確実に保持するために哺乳瓶３の基部１６に対して内方および上方に突出する。実質的にジャケット２のすべての側壁は、哺乳瓶３の外部側壁６から離間されて維持され、したがって乳児は、哺乳瓶３の外部全体の周囲で哺乳瓶３の上部から底部まであらゆる位置でジャケット２をすぐに容易に把持することができることに気付くであろう。
【００３６】
本明細書で先に説明された本発明の実施形態は、哺乳瓶のための容器把持補助具の提供に関するが、本発明の容器把持補助具は、誰でも容器を使用しようとする人にこのような容器をより容易に把持させることが望ましい場合に、他の瓶および他の容器とともに使用されてもよいことが想定される。例えば多くの高齢者または病人は把持力が弱く、したがって本発明の容器把持補助具は、そのような人々が飲料用などの様々な容器を保持するのに恩恵をもたらすことがある。
【００３７】
本発明の容器把持補助具は、瓶または他の容器への取付けおよび取外しが容易であり、また必要に応じてすぐに容易に洗浄もされることが認識されよう。
【００３８】
次に図１０〜図２０を参照すると、概ね参照番号２０によって示された本発明の第２の実施形態による別の容器把持補助具が示されている。これは、先に説明された容器把持補助具とほぼ同じであるが、この場合は、容器把持補助具２０は、関連したカップ２３（図１４）を備える容器を受領するためのジャケット２２を備える。ジャケット２２は、カップ２３を支持するためにジャケット２２を把持しやすくするように、複数の透視穴２５を備えたメッシュ構成の側壁２４を有する。加えてジャケット２２の両側におけるより大きい卵形開口２６は、カップ２３がジャケット２２内に装着された際に、カップ２３およびその内容物が見えやすい。
【００３９】
ジャケットの底部２７は、カップ２３を受領し、ぴたりと適合する形状にされた内面２８を有する。加えて弾性的なスペーサーリブ３０は、図１８に最もよく示されているように、ジャケット２２の側壁２４をカップ２３から離間されたままに保つために、ジャケット２２の側壁２４の内面３１から内方に突出する。さらにジャケット２２の上縁部３２は、カップ２３をジャケット２２内に固定するために、カップ２３と協働してスナップ係合するための内方に向いたリブ３３を有する。
【００４０】
特に図１４〜図１７を参照すると、図１０の容器把持補助具２０とともに使用するためのカップ２３が示されている。図２３は、上縁部３７で終了する、直立する概ね窪んだ側壁３６を備える基部３５を有する。カップ２３の内容物を測定するための測定表示３９が側壁３６上に提供され、使用する際にジャケット２２内の大きい開口２６と位置合わせされてもよい。
【００４１】
ジャケット２２の縁部３２でリブ３３を受領するための外周スロットまたは溝３８が、縁部３７の真下にそれから離間されて配置される。ジャケット２２の内面３１上の弾性的なスペーサーリブ３０は、カップ２３の球根型底部４０を通過できるように歪むことに気付くであろう。カップ２３がジャケット２３の中に完全に挿入されると、リブ３０は、カップ２３をジャケット２２内に確実に保持するために底部４０の上肩部４１を係合する。
【００４２】
図１８〜図２０は、すぐに使用できる容器把持補助具２０内に装着されたカップ２３を示す。ジャケット２２内の穴２５により、使用者はカップ２３を支持するためのジャケットを確実に把持できる。
【００４３】
用語「ｃｏｍｐｒｉｓｅ（備える）」および「ｉｎｃｌｕｄｅ（含む）」、ならびに文法的な理由で必要なそれらのあらゆる変形は、交換可能であり最も広い可能な解釈と一致するとみなされるべきである。さらに説明された様々な実施形態の選択された特徴は、把持補助具を提供するためにあらゆる所望の組合せで組み合わされてもよい。
【００４４】
本発明は、以上に説明された実施形態に限定されず、添付の特許請求の範囲内で構成および詳細の両方を変化されてもよい。
【図１】
2018518248.tif 000003
【図２】
2018518248.tif 000004
【図３】
2018518248.tif 000005
【図４】
2018518248.tif 000006
【図５】
2018518248.tif 000007
【図６】
2018518248.tif 000008
【図７】
2018518248.tif 000009
【図８】
2018518248.tif 000010
【図９】
2018518248.tif 000011
【図１０】
2018518248.tif 000012
【図１１】
2018518248.tif 000013
【図１２】
2018518248.tif 000014
【図１３】
2018518248.tif 000015
【図１４】
2018518248.tif 000016
【図１５】
2018518248.tif 000017
【図１６】
2018518248.tif 000018
【図１７】
2018518248.tif 000019
【図１８】
2018518248.tif 000020
【図１９】
2018518248.tif 000021
【図２０】
2018518248.tif 000022
【国際調査報告】
2018518248.tif 000023
2018518248.tif 000024
2018518248.tif 000025
2018518248.tif 000026